(57)【要約】【課題】引戸の閉操作時に、スライダーに係合ピンが勢いよく衝突したとしても、スライダーの係合突部がスライダー案内溝から抜脱するのを防止した引戸の引込み装置を提供する。【解決手段】ケース２のスライド案内溝１３に係合する係合突部１４ｂを有し、上端部１５ｃがケース１２から突出状態で設けられ戸枠側に設けられた係合ピン１０と係脱する関係にあるスライダー１５と、先端が前記スライダー１５に連結されたピストン式ダンパー１６と、前記スライダー１５に引戸の引込み方向の付勢力を与えるスプリング部材１７とから構成された引戸２の引込み装置１において、前記スライダー１５の上端部１５ｃであって、前記係合ピン１０との係合側とは反対側の面に、引戸２の閉操作時に、前記スライダー１５の上端部１５ｃに前記係合ピン１０が衝突した際、前記スライダー１５の正規の動作範囲以上の回動動作を止めるための回動停止部材１５ｊを設ける。【選択図】図１０
2019078124.tif 000002
【特許請求の範囲】
【請求項１】
ケースと、ケース内を引戸の開閉方向に沿ってスライド可能に設けられるとともに、前記ケースに形成されたスライド案内溝に係合する係合突部を有し、且つ上端部が前記ケースから突出状態で設けられ戸枠側に設けられた係合ピンと係脱する関係にあるスライダーと、ピストン先端が前記スライダーに連結された状態で前記ケース内に設けられたピストン式ダンパーと、一端が前記スライダーに係止されるとともに他端が前記ケースに係止され、前記スライダーに引戸の引込み方向の付勢力を与えるスプリング部材とから構成された引戸の引込み装置において、
前記スライダーの上端部であって、前記係合ピンの係合側とは反対側に、引戸の閉操作時に、前記スライダーの上端部に前記係合ピンが衝突した際、前記スライダーの正規の動作範囲以上の回動動作を止めるための回動停止部を備えることを特徴とする引戸の引込み装置。
【請求項２】
前記スライド案内溝の引戸端部側には、前記スライド案内溝から連続して屈曲状案内溝からなる仮停止部が形成され、
前記スライダーには、引戸の開操作に伴い前記係合ピンに係合して該スライダーを前記スプリング部材の付勢力に抗して引戸端部側に移動させるとともに、スライド案内溝の引戸端部側においてスライダーの係合突部が前記屈曲状案内溝側に案内されることにより該スライダーを揺動させて仮停止状態とし、これに伴い前記係合ピンとの係合が解除される先端側係合片と、引戸の閉操作に伴い前記係合ピンに係合して前記仮停止状態にあるスライダーを揺動動作させ仮停止状態を解除することにより前記先端側係合片と係合ピンとを係合させる基端側係合片とが備えられ、
前記基端側係合片であって、前記係合ピンの係合側とは反対側に、前記回動停止部を設けてある請求項１記載の引戸の引込み装置。
【請求項３】
前記回動停止部は、側方に突出した板状部材によって構成され、前記ケースの上面に衝突することにより、前記スライダーの正規の動作範囲以上の回動動作を停止させるものである請求項１、２いずれかに記載の引戸の引込み装置。
【請求項４】
前記回動停止部は、側方に突出したブロック状部材によって構成され、前記ケースの上面に衝突することにより、前記スライダーの正規の動作範囲以上の回動動作を停止させるものである請求項１、２いずれかに記載の引戸の引込み装置。
【発明の詳細な説明】
【技術分野】
【０００１】
本発明は、引戸の閉操作時に、係合ピンとの衝突による回動動作によって、スライダーの係合突部がスライド案内溝から抜脱するのを防止した引戸の引込み装置に関する。
【背景技術】
【０００２】
従来より、引戸の上端部に固定された吊り車型ランナ装置が戸枠の鴨居に固設されたガイドレールに沿って走行案内される吊戸（吊り引戸）や、引戸の下端部に固定された戸車が戸車用レールに沿って走行案内される引戸では、開き状態から所定の位置まで閉めた後は、閉まり位置まで自動的に引込んで閉止させる引込み装置が種々提案されている。
【０００３】
例えば、下記特許文献１では、図１２に示されるように、ケース５０内を引戸の開閉方向に沿ってスライド可能に設けられるとともに、前記ケース５０に形成されたスライド案内溝５１ａに係合する係合突部５２ａを有し、且つ上端部が前記ケース５０から突出状態で設けられ前記係合ピン５５と係脱する関係にあるスライダー５２と、ピストン先端が前記スライダー５２に連結された状態で前記ケース５０内に設けられるピストン式ダンパー５３と、一端が前記スライダー５２に係止されるとともに他端が前記ケース５０に係止され、前記スライダー５２に引戸の引込み方向の付勢力を与えるスプリング部材５４とから構成され、
前記スライド案内溝５１ａの引戸端部側には、前記スライド案内溝５１ａから連続して屈曲状案内溝５１ｂからなる仮停止部Ｋが形成され、
前記スライダー５２には、引戸の開操作に伴い前記係合ピン５５に係合して該スライダー５２を前記スプリング部材５４の付勢力に抗して引戸端部側に移動させるとともに、スライド案内溝５１ａの引戸端部側においてスライダー５２の係合突部５２ａが前記屈曲状案内溝５１ｂ側に案内されることにより該スライダー５２を揺動させて仮停止状態とし、これに伴い前記係合ピン５５との係合が解除される先端側係合片５２ｂと、引戸の閉操作に伴い前記係合ピン５５に係合して前記仮停止状態にあるスライダー５２を揺動動作させ仮停止状態を解除することにより前記先端側係合片５２ｂと係合ピン５５とを係合させる基端側係合片５２ｃとが備えられ、前記引戸の閉操作時に、前記ピストン式ダンパー５３による制動力を受けながら前記スプリング部材５４の付勢力により引戸を閉まり位置まで引き込むようにした引込み装置本体が開示されている。
【先行技術文献】
【特許文献】
【０００４】
【特許文献１】特開２０１２−１４９４３８号公報
【発明の概要】
【発明が解決しようとする課題】
【０００５】
しかしながら、上記構造の引込み装置の場合は、図１３(A)に示されるように、引戸の閉操作時に、前記スライダー５２の基端側係合片５２ｃに係合ピン５５が勢いよく衝突すると、図１３(B)に示されるように、軸部材５６を回転中心として前記スライダー５２が図示で時計回り方向に大きな力で回動し、スライダー５２の係合突部５２ａが上方向に押し上げられる。その際、前記係合突部５２ａが前記スライド案内溝５１ａを形成している上方側部材５７を上方向に凸状に変形させ、前記スライダー５２の係合突部５２ａが前記スライダー案内溝５１ａから抜脱するという不具合が発生することがあった。
【０００６】
そこで本発明の主たる課題は、引戸の閉操作時に、前記スライダーに係合ピンが勢いよく衝突したとしても、スライダーの係合突部がスライダー案内溝から抜脱するのを防止した引戸の引込み装置を提供することにある。
【課題を解決するための手段】
【０００７】
上記課題を解決するために請求項１に係る本発明として、ケースと、ケース内を引戸の開閉方向に沿ってスライド可能に設けられるとともに、前記ケースに形成されたスライド案内溝に係合する係合突部を有し、且つ上端部が前記ケースから突出状態で設けられ戸枠側に設けられた係合ピンと係脱する関係にあるスライダーと、ピストン先端が前記スライダーに連結された状態で前記ケース内に設けられたピストン式ダンパーと、一端が前記スライダーに係止されるとともに他端が前記ケースに係止され、前記スライダーに引戸の引込み方向の付勢力を与えるスプリング部材とから構成された引戸の引込み装置において、
前記スライダーの上端部であって、前記係合ピンの係合側とは反対側に、引戸の閉操作時に、前記スライダーの上端部に前記係合ピンが衝突した際、前記スライダーの正規の動作範囲以上の回動動作を止めるための回動停止部を備えることを特徴とする引戸の引込み装置が提供される。
【０００８】
上記請求項１記載の発明では、前記スライダーの上端部であって、前記係合ピンの係合側とは反対側に、引戸の閉操作時に、前記スライダーの上端部に前記係合ピンが衝突した際、前記スライダーの正規の動作範囲以上の回動動作を止めるための回動停止部を備えている。
【０００９】
従って、引戸の閉操作時に、前記スライダーの基端側係合片に係合ピンが勢いよく衝突して、図９(B)に示されるように、軸部材を回転中心として前記スライダーが時計回り方向に大きな力で回動し、スライダーの係合突部が上方向に押し上げられた場合であっても、前記スライダーに設けた回動停止部が前記スライダーの正規の動作範囲以上の回動動作を止めるため、前記係合突部がスライド案内溝を形成している上方側部材を変形させることが無くなり、前記スライダーの係合突部が前記スライダー案内溝から抜脱するという不具合が発生するのを防止することができるようになる。
【００１０】
請求項２に係る本発明として、前記スライド案内溝の引戸端部側には、前記スライド案内溝から連続して屈曲状案内溝からなる仮停止部が形成され、
前記スライダーには、引戸の開操作に伴い前記係合ピンに係合して該スライダーを前記スプリング部材の付勢力に抗して引戸端部側に移動させるとともに、スライド案内溝の引戸端部側においてスライダーの係合突部が前記屈曲状案内溝側に案内されることにより該スライダーを揺動させて仮停止状態とし、これに伴い前記係合ピンとの係合が解除される先端側係合片と、引戸の閉操作に伴い前記係合ピンに係合して前記仮停止状態にあるスライダーを揺動動作させ仮停止状態を解除することにより前記先端側係合片と係合ピンとを係合させる基端側係合片とが備えられ、
前記基端側係合片であって、前記係合ピンの係合側とは反対側に、前記回動停止部を設けてある請求項１記載の引戸の引込み装置が提供される。
【００１１】
上記請求項２記載の発明は、前記スライダーの具体的構造例を示したものである。この場合、前記回転停止部は前記基端側係合片であって、前記係合ピンの係合側とは反対側に設けるようにする。
【００１２】
請求項３に係る本発明として、前記回動停止部は、側方に突出した板状部材によって構成され、前記ケースの上面に衝突することにより、前記スライダーの正規の動作範囲以上の回動動作を停止させるものである請求項１、２いずれかに記載の引戸の引込み装置が提供される。
【００１３】
上記請求項３記載の発明は、前記回動停止部の具体的構造例を示したものである。例えば、前記回動停止部としては、側方に突出した板状部材によって構成され、前記ケースの上面に衝突することにより、前記スライダーの正規の動作範囲以上の回動動作を停止させるものとすることができる。
【００１４】
請求項４に係る本発明として、前記回動停止部は、側方に突出したブロック状部材によって構成され、前記ケースの上面に衝突することにより、前記スライダーの正規の動作範囲以上の回動動作を停止させるものである請求項１、２いずれかに記載の引戸の引込み装置が提供される。
【００１５】
上記請求項４記載の発明は、前記回動停止部の他の具体的構造例を示したものである。例えば、前記回動停止部としては、側方に突出したブロック状部材によって構成され、前記ケースの上面に衝突することにより、前記スライダーの正規の動作範囲以上の回動動作を停止させるものとすることができる。
【発明の効果】
【００１６】
以上詳説のとおり本発明によれば、引戸の閉操作時に、スライダーに係合ピンが勢いよく衝突したとしても、スライダーの係合突部がスライダー案内溝から抜脱するのを防止することができるようになる。
【図面の簡単な説明】
【００１７】
【図１】本発明に係る引込み装置１を備えた引戸２の正面図である。
【図２】(A)は図１のII部拡大図であり、(B)はその平面図、(C)は分解図である。
【図３】引込み装置１を示す、(A)は縦断面図、(B)は上面図である。
【図４】引込み装置１を示す縦断面斜視図である。
【図５】ピストン式ダンパー１６の斜視図である。
【図６】スライダー１５を示す、(A)は上面図、(B)は正面図、(C)は側面図である。
【図７】スライダー１５の背面上方側からの斜視図である。
【図８】スライダー１５の下方側からの斜視図である。
【図９】(A)〜(C)は引込み装置１の作動要領を示す図である。
【図１０】スライダー１５に設けた回動停止部材１５ｊの作用を説明するための作動状態図(A)(B)である。
【図１１】第２形態例に係るスライダー１５を示す、(A)は上側からの斜視図、(B)は下側からの斜視図である。
【図１２】従来の引込み装置の縦断側面図である。
【図１３】スライダー作動時の問題点を説明するための要部拡大図である。
【発明を実施するための形態】
【００１８】
以下、本発明の実施の形態について図面を参照しながら詳述する。
【００１９】
〔引込み装置１の構造〕
図１に示される引戸２は、木製の引戸２が鴨居６Ａ、敷居６Ｂ及び側枠６Ｃ，６Ｄからなる戸枠６に収容され、前記引戸２の下面に戸車４，４が配設され、鴨居６Ａと敷居６Ｂに案内されながら左右方向に移動可能（開閉可能）となっているものである。
【００２０】
前記引戸２の戸先側上端部には、図２に示されるように、縦溝状の切欠き２ａが形成されており、この切欠き２ａ内に引き込み装置１が設けられているとともに、鴨居６Ａに係合ピン１０が設けられ、かかる引戸２に開状態からの閉操作が行われると、引込み装置１と係合ピン１０とが係合することによって引戸２が閉まり位置まで引き込まれるようになっている。
【００２１】
以下、前記引込み装置１及び係合ピン１０について詳述する。
【００２２】
前記引込み装置１は、図３に示されるように、ケース１２と、ケース１２内を引戸２の開閉方向に沿ってスライド可能に設けられるとともに、前記ケース１２に形成されたスライド案内溝１３に係合する基端側係合突部１４ａ及び先端側係合突部１４ｂを有し、且つ上端部が前記ケース１２から突出状態で設けられることにより前記係合ピン１０と係脱する関係にあるスライダー１５と、ピストン先端が前記スライダー１５に連結された状態で前記ケース１２内に設けられたピストン式ダンパー１６と、一端が前記スライダー１５に係止されるとともに、他端が前記ケース１２に係止され、前記スライダー１５に引戸２の引込み方向の付勢力を与えるスプリング部材１７とから主に構成されている。
【００２３】
前記ケース１２は、同図３に示されるように、断面略方形状を成した函体であり、引戸中央側の略半分には、上下方向に区画する中間水平壁１２ａが設けられ、その上側が部材長手方向に沿って上側に開口する前記ピストン式ダンパー１６を収容するためのダンパー収容区間１２ｂとされ、下側が部材長手方向に沿って下側に開口する前記スプリング１７を収容するためのスプリング収容空間１２ｃとされている。前記スプリング収容空間１２ｃの引戸中央側端部には、前記スプリング１７の一端を係止するための係止溝１２ｅが設けられている。
【００２４】
また、ケース１２の引戸端部側の略半分には、前記スライダー１５がスライド自在に備えられる、部材長手方向に沿って上側に開口するスライダー用空間１２ｄとされている。
【００２５】
前記スライダー用空間１２ｄの両側壁にはそれぞれ、前記スライド案内溝１３が形成されている。このスライド案内溝１３は、引戸２の開閉方向に沿った直線状案内溝１３ａと、この直線状案内溝１３ａの引戸端部側に連続して下方向に屈曲する屈曲案内溝１３ｂとからなり、前記屈曲案内溝１３ｂが前記スライダー１５の仮停止部Ｋを構成している。
【００２６】
一方、スライダー１５は、図６〜図８に示されるように、前記ピストン先端が連結されるピストン連結部１５ａと、その下側に延在し前記スプリング部材１７の一端が係止される係止溝１５ｄが形成されたスプリング係止部１５ｂと、前記ピストン連結部１５ａの上側に延在し上端部が前記ケース１２の上端から突出状態で設けられる基端側係合片１５ｃと、前記ピストン連結部１５ａの引戸端部側に延在するとともに、前記基端側係合片１５ｃと所定の離隔幅を設けて、上端部が前記ケース１２の上端から突出状態で設けられる先端側係合片１５ｅとから構成されている。前記基端側係合片１５ｃと先端側係合片１５ｅとは、これらの間に前記係合ピン１０が係合可能な程度の離隔幅が設けられている。
【００２７】
さらに、本発明では前記スライダー１５の基端側係合片１５ｃ（本発明の「上端部」）であって、前記係合ピン１０との係合側とは反対側の面に、引戸２の閉操作時に、前記スライダー１５の基端側係合片１５ｃに前記係合ピン１０が衝突した際、前記スライダー１５の正規の動作範囲以上の回動動作を止めるための回動停止部材１５ｊが設けられている。前記回動停止部材１５ｊは、本発明の「回動停止部」を構成する部材であり、図示例では、側方に突出した板状部材とされ、前記ケース１２の上面に衝突することにより、前記スライダー１５の正規の動作範囲以上の回動動作を停止させるものである。この「回動停止部材１５ｊ」の作用については更に後述する。
【００２８】
前記スライダー１５のピストン連結部１５ａには通孔１５ｆが形成され、この通孔１５ｆを貫くとともに、ピストン先端に設けられた通孔（図示せず）を貫く軸部材１８（図３参照）が設けられることにより、ピストン先端とスライダー１５とが連結されている。前記軸部材１８は、両端がスライダー１５の両側に突出した状態で設けられ、この突出した両端部が前記スライド案内溝１３に係合する基端側係合突部１４ａ、１４ａを構成している。
【００２９】
また、前記スライダー１５の先端側係合片１５ｅの中央部には、両側部に突出する先端側係合突部１４ｂ、１４ｂが設けられている。
【００３０】
前記先端側係合片１５ｅは、より詳細には、図７に示されるように、スライダー１５の先端部から横向きレ字状に折り返された折返し部１５ｇと、さらにその先端から下方側に向けて延在する垂下片１５ｈと、この垂下片１５ｈの先端に水平方向に突出するとともに、スライダー本体に係合する水平係止片１５ｉとを有する。そして、没入側に押し込んで前記水平係止片１５ｉをスライダー本体に係合させて図８の状態とする。従って、引戸２の開閉時に係合ピン１０が前記垂下片１５ｈに当接し力が加わったとしても、前記水平係止片１５ｉが抜止め防止材となって、前記垂下片１５ｈ及び折返し部１５ｇとが抜け出るように上方向側に変形するのを防止する。
【００３１】
前記先端側係合片１５ｅは弾性変形可能な樹脂材によって形成することが好ましい。このようにして形成された先端側係合片１５ｅは、上端部から下方向に押圧が加わると、スライダー先端の折り返し部の弾性変形によって上端部が下方向に移動可能となっている。この上下方向の弾性変形量は、スライダー１５を引込み装置１に組み込んだ場合に前記係合ピン１０を乗り越えることができる程度であって、先端側係合片１５ｅの上端部がケース１２内に没入可能な程度とすることが好ましい。
【００３２】
次いで、前記ピストン式ダンパー１６は、図５に示されるように、シリンダー１６Ａとピストン１６Ｂとで構成され、シリンダー１６Ａ内部に粘性体（シリコンオイル等）が密閉封入されており、ピストン１６Ｂがシリンダー１６Ａ内部を移動する際に、前記粘性体の移動により移動速度に応じた抵抗力（減衰力）が発生してエネルギーを吸収する機構となっているものである。
【００３３】
前記引込み装置１の後部（引戸中央側）には、鴨居６Ａに形成されたレール溝に対して係合するスライド案内係合部１９が設けられている。このスライド案内係合部１９は平面視で矩形状を成し、下側に開口する凹部１９ａを有する部材であり、この凹部１９ａ内にバネ部材２０が内設されることにより上方に向けて付勢支持されている。
【００３４】
一方、前記鴨居６Ａに設けられた係合ピン１０は、図３に示されるように、鴨居６Ａに対してビス止めされる基体部３の下面側に設けられている。前記基体部３の下面には、引戸２が上側に跳ね上がって外れたりしないように跳上げ防止３Ａが設けられている。
【００３５】
〔引込み装置１の作動説明〕
（引戸２の開操作時）
図９(A)に示されるように、引戸２が戸閉まり状態の場合は、前記スライダー１５がスライド案内溝１３の内、引戸中央側に位置するとともに、このスライダー１５の基端側係合片１５ｃと先端側係合片１５ｅとの間の離隔部分に係合ピン１０が位置（係合）している。
【００３６】
この戸閉まり状態から引戸２の開操作を行うと、図９(B)に示されるように、係合ピン１０と先端側係合片１５ｅとの係合により、スライダー１５がスプリング部材１７の付勢力に抗して引戸端部側に移動される。そして、図９(C)に示されるように、スライダー１５の先端側係合突部１４ｂが屈曲状案内溝１３ｂまで案内されるとスライダー１５が揺動し仮停止状態となる。これに伴い先端側係合片１５ｅと係合ピン１０との係合が解除される。従って、図９(C)に示されるように、引戸２をさらに開操作できるようになる。
【００３７】
（引戸２の閉操作時）
次に引戸２の閉操作時の作動状態について説明する。
【００３８】
引戸２を開いた状態から図９(C)に示される所定の位置まで閉操作を行うと、開操作によって仮停止状態とされたスライダー１５の基端側係合片１５ｃに係合ピン１０が衝突して、スライダー１５を揺動動作させ仮停止状態が解除される。これによりスライダー１５の基端側係合片１５ｃと先端側係合片１５ｅとの離隔部分に係合ピン１０が位置した状態となる。その後は、自動的に前記ピストン式ダンパー１６による制動力を受けながらスプリング部材１７の付勢力によって、引戸２が閉まり位置まで引き込まれるようになる（図９(A)）。
【００３９】
（回動停止部材１５ｊの作動）
引戸２の閉操作時に、図１０(A)に示されるように、前記スライダー１５の基端側係合片１５ｃに係合ピン１０が勢いよく衝突して、軸部材１８を回転中心として前記スライダー１５が図示で時計回り方向に大きな力で回動し、スライダー１５の係合突部１４ｂが上方向に押し上げられた場合であっても、図１０(B)に示されるように、前記スライダー１５に設けた回動停止部材１５ｊがケース１２の上面１２ｆに衝突することにより、前記スライダー１５の正規の動作範囲以上の回動動作を止めるため、前記係合突部１４ｂがスライド案内溝１３を形成している上方側部材を変形させることが無くなり、前記スライダー１５の係合突部１４ｂが前記スライダー案内溝１３から抜脱するという不具合の発生を完全に防止することができるようになる。
【００４０】
〔第２形態例〕
上記形態例では、本発明の「回動停止部」を構成する部材として、基端側係合片１５ｃの係合ピン１０との係合側とは反対側の面に、側方に突出した板状部材とされる回動停止部材１５ｊを設けるようにしたが、図１１に示されるように、基端側係合片１５ｃにおいて前記係合ピン１０との係合側とは反対側に、該基端側係合片１５ｃに連続かつ一体的に、ブロック状部材とされる回動停止部材１５ｋを設けるようにして前記「回動停止部」を構成するようにしてもよい。
【００４１】
〔他の形態例〕
(1)上記形態例では、引戸２の閉操作時に、スライダー１５に設けた回動停止部材１５ｊがケース１２の上面１２ｆに衝突して、それ以上の回動動作を止めるようにしたが、前記回動停止部材１５ｊが別途設けたストッパーに対して衝突させるようにしてもよい。
(2)上記形態例では、下端部に固定された戸車４によって走行案内される引戸２に対して、本発明を適用した例について述べたが、引戸の上端部に設けられた吊り車型ランナ装置が鴨居に固設されたガイドレールに沿って走行案内される吊戸(引戸)に対しても同様に適用が可能である。
【符号の説明】
【００４２】
１…引込み装置、２…引戸、４…戸車、３…基体部、６Ａ…鴨居、６Ｂ…敷居、６Ｃ・６Ｄ…側枠、１０…係合ピン、１２…ケース、１３…スライド案内溝、１４ａ…基端側係合突部、１４ｂ…先端側係合突部、１５…スライダー、１５ｃ…基端側係合片、１５ｅ…先端側係合片、１５ｊ・１５ｋ…回動停止部材、１６…ピストン式ダンパー、１７…スプリング部材、Ｋ…仮停止部
【図１】
2019078124.tif 000003
【図２】
2019078124.tif 000004
【図３】
2019078124.tif 000005
【図４】
2019078124.tif 000006
【図５】
2019078124.tif 000007
【図６】
2019078124.tif 000008
【図７】
2019078124.tif 000009
【図８】
2019078124.tif 000010
【図９】
2019078124.tif 000011
【図１０】
2019078124.tif 000012
【図１１】
2019078124.tif 000013
【図１２】
2019078124.tif 000014
【図１３】
2019078124.tif 000015